(57)【要約】【課題】モバイルデバイスとサーバデバイス間で効率的なコンテンツ転送の仕組みを実現する。【解決手段】サーバデバイス２０は、保存されているコンテンツに対する優先度情報を変更するように構成されている優先度情報管理部２０Ｃを具備する。【選択図】  図４
2008278245.tif 000002
【特許請求の範囲】
【請求項１】
所定条件に応じて、保存されているコンテンツに対する優先度情報を変更するように構成されている優先度情報管理部を具備することを特徴とするサーバデバイス。
【請求項２】
受信した予約情報によって特定されるコンテンツを保存するように構成されている保存部を具備することを特徴とする請求項１に記載のサーバデバイス。
【請求項３】
保存されている複数のコンテンツの中から前記優先度情報に基づいて選択されたコンテンツを、モバイルデバイスに対して転送するように構成されている転送部を具備することを特徴とする請求項１又は２に記載のサーバデバイス。
【請求項４】
前記優先度情報に基づく保存されているコンテンツの一覧を、モバイルデバイスに対して転送するように構成されている転送部を具備することを特徴とする請求項１又は２に記載のサーバデバイス。
【請求項５】
前記転送部は、転送先に応じて、前記コンテンツの一覧を変更するように構成されていることを特徴とする請求項４に記載のサーバデバイス。
【請求項６】
保存されている前記コンテンツは、所定情報をリッピングすることによって得られたコンテンツであることを特徴とする請求項１乃至５のいずれか一項に記載のサーバデバイス。
【請求項７】
前記優先度情報管理部は、前記コンテンツが保存された時点から所定時間が経過した場合に、該コンテンツに対する優先度情報を下げるように構成されていることを特徴とする請求項１に記載のサーバデバイス。
【請求項８】
前記優先度情報管理部は、保存されている前記コンテンツの種別及び転送時刻に基づいて、該コンテンツに対する優先度情報を決定するように構成されていることを特徴とする請求項１に記載のサーバデバイス。
【請求項９】
前記優先度情報管理部は、保存されている前記コンテンツの視聴率に応じて、該コンテンツに対する優先度情報を決定するように構成されていることを特徴とする請求項１に記載のサーバデバイス。
【請求項１０】
前記コンテンツ転送部は、前記モバイルデバイスから受信した再転送要求によって特定されるコンテンツを、該モバイルデバイスに対して再転送するように構成されており、
前記優先度情報管理部は、再転送すべき前記コンテンツに対する優先度情報を上げるように構成されていることを特徴とする請求項３に記載のサーバデバイス。
【請求項１１】
前記予約情報によって特定されるモバイルデバイスに対する認証処理を行うように構成されている認証処理部を具備し、
前記コンテンツ転送部は、前記認証処理が成功した場合のみ、選択された前記コンテンツを該モバイルデバイスに対して転送するように構成されていることを特徴とする請求項３に記載のサーバデバイス。
【請求項１２】
前記コンテンツ転送部は、予め設定されているキーワードと電子番組表に含まれる各コンテンツに対するキーワードとの比較結果、及び、各コンテンツに対する優先度情報に基づいて、前記モバイルデバイスに対して転送するコンテンツを選択するように構成されていることを特徴とする請求項３に記載のサーバデバイス。
【請求項１３】
前記コンテンツ転送部は、前記キーワードが、保存されている前記コンテンツの一部に対応する場合、選択された該コンテンツの一部を前記モバイルデバイスに対して転送するように構成されていることを特徴とする請求項１２に記載のサーバデバイス。
【請求項１４】
サーバデバイスに対してコンテンツを保存するように指示する予約情報を送信するように構成されている予約情報送信部と、
前記サーバデバイスから送信された前記コンテンツを受信して記憶するように構成されているコンテンツ受信部と、
記憶されている前記コンテンツを再生し、該コンテンツの再生が完了した後、該コンテンツを削除するように構成されている再生部と、
前記コンテンツを該サーバデバイスから削除するように要求する削除要求を送信するように構成されている削除要求送信部と、
前記サーバデバイスに対して前記コンテンツを再転送するように要求する再転送要求を送信するように構成されている再転送要求送信部とを具備することを特徴とするモバイルデバイス。
【請求項１５】
サーバデバイスが、保存されているコンテンツに対する優先度情報を変更する工程と、
前記サーバデバイスが、保存されている前記コンテンツの中から前記優先度情報に基づいて選択されたコンテンツを、前記モバイルデバイスに対して転送する工程と、
前記モバイルデバイスが、前記サーバデバイスから送信された前記コンテンツを受信して記憶する工程と、
前記モバイルデバイスが、記憶されている前記コンテンツを再生し、該コンテンツの再生が完了した後、該コンテンツを削除する工程と、
前記モバイルデバイスが、記憶されている前記コンテンツの再生が完了した後、該コンテンツを該サーバデバイスから削除するように要求する削除要求を送信する工程と、
前記モバイルデバイスが、前記サーバデバイスに対して前記コンテンツを再転送するように要求する再転送要求を送信する工程と、
前記サーバデバイスが、前記モバイルデバイスから送信された前記削除要求に応じて、保存されている前記コンテンツを削除する工程と、
前記サーバデバイスが、前記モバイルデバイスから送信された前記再転送要求に応じて、保存されている前記コンテンツを再転送する工程とを有することを特徴とする通信方法。
【発明の詳細な説明】
【技術分野】
【０００１】
本発明は、サーバデバイス、モバイルデバイス及び通信方法に関する。
【背景技術】
【０００２】
近年、携帯電話端末やＰＤＡ（Ｐｅｒｓｏｎａｌ  Ｄｉｇｉｔａｌ  Ａｓｓｉｓｔａｎｔｓ）端末等のモバイルデバイスの高機能化やストレージサイズの拡大に伴い、従来、パソコンやＨＤＲ（Ｈａｒｄ  Ｄｉｓｋ  Ｒｅｃｏｒｄｅｒ）のＨＤＤ（Ｈａｒｄ  Ｄｉｓｋ  Ｄｒｉｖｅ）に保存されているコンテンツ（例えば、映像）を、ＣＦ（Ｃｏｍｐａｃｔ  Ｆｌａｓｈ）カードやＳＤカード等のリムーバブルメディアを経由してモバイルデバイスに転送し、或いは、ＵＳＢケーブルを介してモバイルデバイスに転送し、外出先において、当該コンテンツをモバイルデバイスで再生（視聴）することが可能となってきた。
【０００３】
このようなモバイルデバイスへのコンテンツの転送及びモバイルデバイスでのコンテンツの再生を実現するための圧縮方式として、ＭＰＥＧ４又はＨ.２６４形式の圧縮方式を採用することによって、数ギガバイト（ＧＢ）のリムーバブルメディアに対して、数時間から十数時間に及ぶ再生時間のコンテンツを保存することが可能となっている。
【０００４】
しかしながら、パソコンやＨＤＲに搭載されるＨＤＤは、数百ギガバイト（ＧＢ）から数テラバイト（ＴＢ）の容量を持ち、数百時間から数千時間に及ぶ再生時間のコンテンツの録画が可能であることに比べると、十分な再生時間のコンテンツを保存できるとは言い難い。
【０００５】
そこで、特許文献１では、サーバデバイスが、ユーザにより設定された優先度情報に従って、モバイルデバイスに対して転送するコンテンツを絞り込む機能、及び、当該サーバデバイスが、モバイルデバイスから再生中のコンテンツを取得して当該コンテンツを途中から再生する機能の提案がなされている。
【特許文献１】特開２００５-１５９４３９号公報
【発明の開示】
【発明が解決しようとする課題】
【０００６】
しかしながら、モバイルデバイスにおいて利用されるリムーバブルメディアの容量拡大が進み、また、モバイルデバイスの表示ディスプレイの高画質化も同時に進んでいるため、モバイルデバイスに転送されるコンテンツのサイズも益々大きくなることが期待されている。
【０００７】
したがって、モバイルデバイスに保存可能なコンテンツは限定的であることを考慮すると、モバイルデバイスとサーバデバイスとの間で、効率的なコンテンツ転送の仕組みを実現することが不可欠である。
【０００８】
そこで、本発明は、上述の課題に鑑みてなされたものであり、モバイルデバイスとサーバデバイス間で効率的なコンテンツ転送の仕組みを実現することができるサーバデバイス、モバイルデバイス及び通信方法を提供することを目的とする。
【課題を解決するための手段】
【０００９】
本発明の第１の特徴は、サーバデバイスであって、所定条件に応じて、保存されているコンテンツに対する優先度情報を変更するように構成されている優先度情報管理部を具備することを要旨とする。
【００１０】
本発明の第１の特徴において、受信した予約情報によって特定されるコンテンツを保存するように構成されている保存部を具備していてもよい。
【００１１】
本発明の第１の特徴において、保存されている複数のコンテンツの中から前記優先度情報に基づいて選択されたコンテンツを、モバイルデバイスに対して転送するように構成されているコンテンツ転送部を具備してもよい。
【００１２】
かかる発明によれば、優先度情報管理部が、様々な状況を考慮して、保存されている各コンテンツに対する優先度情報を適切に変更することができるため、サーバデバイスからモバイルデバイスに対して、適切なコンテンツを転送することができる。
【００１３】
本発明の第１の特徴において、前記優先度情報に基づく保存されているコンテンツの一覧を、モバイルデバイスに対して転送するように構成されている転送部を具備してもよい。
【００１４】
本発明の第１の特徴において、前記転送部は、転送先に応じて、前記コンテンツの一覧を変更するように構成されていてもよい。
【００１５】
かかる発明によれば、ユーザが、モバイルデバイス上に、サーバデバイスに保存されているコンテンツの一覧を優先情報（優先順位）に応じて表示することができる。
【００１６】
本発明の第１の特徴において、保存されているコンテンツは、所定情報をリッピングすることによって得られたコンテンツであってもよい。
【００１７】
かかる発明によれば、ＣＤ等から、好きなジャンルのコンテンツや、よく聞く曲に係るコンテンツをリッピングすることにより得られたコンテンツについても、通常のコンテンツと同様に、優先度情報に基づくモバイルデバイスへの転送を実現することができる。
【００１８】
本発明の第１の特徴において、前記優先度情報管理部は、前記コンテンツが保存された時点から所定時間が経過した場合に、該コンテンツに対する優先度情報を下げるように構成されていてもよい。
【００１９】
かかる発明によれば、保存されてから所定時間が経過しているため、緊急性が低いコンテンツのモバイルデバイスへの転送を後回しにすることができる。
【００２０】
本発明の第１の特徴において、前記優先度情報管理部は、保存されているコンテンツの種別及び転送時刻に基づいて、該コンテンツに対する優先度情報を変更するように構成されていてもよい。
【００２１】
かかる発明によれば、平日にはニュース（コンテンツ）の優先度を上げ、週末にはドラマ（コンテンツ）の優先度を上げるといった柔軟な優先度情報の変更を行うことができ、ユーザのニーズに沿ったコンテンツの転送を実現することができる。
【００２２】
本発明の第１の特徴において、前記優先度情報管理部は、保存されているコンテンツの視聴率に応じて、該コンテンツに対する優先度情報を変更するように構成されていてもよい。
【００２３】
かかる発明によれば、視聴率が高いコンテンツの優先度情報を上げるといった優先度情報の変更を行うことができ、ユーザのニーズに沿ったコンテンツの転送を実現することができる。
【００２４】
本発明の第１の特徴において、前記コンテンツ転送部は、前記モバイルデバイスから受信した再転送要求によって特定されるコンテンツを、該モバイルデバイスに対して再転送するように構成されており、前記優先度情報管理部は、再転送すべき前記コンテンツに対する優先度情報を上げるように構成されていてもよい。
【００２５】
かかる発明によれば、サーバデバイスからモバイルデバイスに対して再転送するコンテンツの優先度情報を上げることによって、モバイルデバイスにおいて再生を中断したコンテンツを優先的に再取得することができる。
【００２６】
本発明の第１の特徴において、前記予約情報によって特定されるモバイルデバイスに対する認証処理を行うように構成されている認証処理部を具備し、前記コンテンツ転送部は、前記認証処理が成功した場合のみ、選択された前記コンテンツを該モバイルデバイスに対して転送するように構成されていてもよい。
【００２７】
かかる発明によれば、転送先デバイスとして設定されているモバイルデバイスへのなりすましを防止することができる。
【００２８】
本発明の第１の特徴において、前記コンテンツ転送部は、予め設定されているキーワードと電子番組表に含まれる各コンテンツに対するキーワードとの比較結果、及び、各コンテンツに対する優先度情報に基づいて、前記モバイルデバイスに対して転送するコンテンツを選択するように構成されていてもよい。
【００２９】
かかる発明によれば、特定ジャンルのコンテンツの優先度情報を上げたり下げたりするといったユーザのニーズに沿った柔軟な優先度情報の変更を行うことができる。
【００３０】
本発明の第１の特徴において、前記コンテンツ転送部は、前記キーワードが、コンテンツの一部に対応する場合、選択された該コンテンツの一部を前記モバイルデバイスに対して転送するように構成されていてもよい。
【００３１】
かかる発明によれば、ユーザが所望コンテンツ内において本当に視聴したい部分の情報のみを転送することができるため、モバイルデバイスのリムーバブルメディアの記憶領域を無駄に使用するという事態を回避することができる。
【００３２】
本発明の第２の特徴は、モバイルデバイスであって、サーバデバイスに対してコンテンツを保存するように指示する予約情報を送信するように構成されている予約情報送信部と、前記サーバデバイスから送信された前記コンテンツを受信して記憶するように構成されているコンテンツ受信部と、記憶されている前記コンテンツを再生し、該コンテンツの再生が完了した後、該コンテンツを削除するように構成されている再生部と、前記コンテンツを該サーバデバイスから削除するように要求する削除要求を送信するように構成されている削除要求送信部と、前記サーバデバイスに対して前記コンテンツを再転送するように要求する再転送要求を送信するように構成されている再転送要求送信部とを具備することを要旨とする。
【００３３】
本発明の第３の特徴は、通信方法であって、サーバデバイスが、保存されているコンテンツに対する優先度情報を変更する工程と、前記サーバデバイスが、保存されている複数のコンテンツの中から前記優先度情報に基づいて選択された所望コンテンツを、前記モバイルデバイスに対して転送する工程と、前記モバイルデバイスが、前記サーバデバイスから送信された前記コンテンツを受信して記憶する工程と、前記モバイルデバイスが、記憶された前記コンテンツを再生し、該コンテンツの再生が完了した後、該コンテンツを削除する工程と、前記モバイルデバイスが、記憶されている前記コンテンツの再生が完了した後、該コンテンツを該サーバデバイスから削除するように要求する削除要求を送信する工程と、前記モバイルデバイスが、前記サーバデバイスに対して前記コンテンツを再転送するように要求する再転送要求を送信する工程と、前記サーバデバイスが、前記モバイルデバイスから送信された前記削除要求に応じて、保存されている前記コンテンツを削除する工程と、前記サーバデバイスが、前記モバイルデバイスから送信された前記再転送要求に応じて、録画された前記コンテンツを再転送する工程とを有することを要旨とする。
【発明の効果】
【００３４】
以上説明したように、本発明によれば、モバイルデバイスとサーバデバイス間で効率的なコンテンツ転送の仕組みを実現することができるサーバデバイス、モバイルデバイス及び通信方法を提供することができる。
【発明を実施するための最良の形態】
【００３５】
（本発明の第１の実施形態に係る通信システムの構成）
図１乃至図１２を参照して、本発明の第１の実施形態に係る通信システムの構成について説明する。
【００３６】
図１に示すように、本実施形態に係る通信システムは、通信網４０に接続されているモバイルデバイス１０と、通信網４０に接続されているサーバデバイス２０と、インターネット網５０に接続されている情報共有サーバ３０とを具備している。
【００３７】
例えば、通信網５０は、ホームネットワークであり、ルータやＨＵＢ等の中継装置を含んでいる。
【００３８】
また、サーバデバイス２０は、通信網２０及びインターネット網５０を介して、情報共有サーバ３０と通信が可能である。
【００３９】
通信網４０及びインターネット網５０は、モバイルデバイス１０とサーバデバイス２０と情報共有サーバ３０との間で、所定の通信プロトコル（本実施形態では、ＩＰ）に従って行われる通信を仲介することができる。
【００４０】
なお、本実施形態では、通信網４０が、ホームネットワークである場合について説明するが、かかる通信網４０は、ＰＡＮ（Ｐｅｒｓｏｎａｌ  Ａｒｅａ  Ｎｅｔｗｏｒｋ）であってもよく、また、有線ＬＡＮによる接続の他、無線ＬＡＮのような無線通信網によって構成されていてもよい。
【００４１】
すなわち、通信網４０は、モバイルデバイス１０とサーバデバイス２０との間で所定の通信プロトコルに従って行われる通信を仲介する通信網であれば、任意の通信網であってもよい。
【００４２】
更に、モバイルデバイス１０及びサーバデバイス２０は、ＵＳＢケーブルにより直接接続されていてもよい。
【００４３】
また、本実施形態では、通信網４０を介してモバイルデバイス１０とサーバデバイス２０と情報共有サーバ３０との間で行われる通信が、ＩＰに準拠している場合について説明するが、かかる通信が準拠するべき通信プロトコルは、ＩＰに限定されるものではない。
【００４４】
すなわち、かかる所定の通信プロトコルは、通信網４０に対してブロードキャスト通信方式又はマルチキャスト通信方式によって接続されている宛先端末に対して、パケットを到達することができる通信プロトコルであれば、任意の通信プロトコルであってもよい。
【００４５】
モバイルデバイス１０とサーバデバイス２０と情報共有サーバ３０とは、いずれも、通信網４０及びインターネット網５０に接続されているパーソナルコンピュータ（以下、「ＰＣ」）であり、通信網４０及びインターネット網５０を介して、ＩＰに従って通信を行うことができる。
【００４６】
なお、本実施形態では、モバイルデバイス１０とサーバデバイス２０と情報共有サーバ３０とが、ＩＰに従って通信を行うＰＣである場合について説明するが、ＩＰに従って通信を行うＰＤＡ端末や携帯電話端末であってもよい。
【００４７】
すなわち、モバイルデバイス１０とサーバデバイス２０と情報共有サーバ３０とは、所定の通信プロトコルに従って通信を行う機能を有するコンピュータ装置であれば、任意のコンピュータ装置であってもよい。
【００４８】
図２に、モバイルデバイス１０のハードウェア構成について示す。モバイルデバイス１０のハードウェア構成は、一般的なコンピュータ装置のハードウェア構成と同様であるから、本発明に関連するハードウェア構成のみについて、図２を参照しながら説明する。
【００４９】
ＣＰＵ１０１は、記憶部１０５に記憶されているプログラムを実行することにより、モバイルデバイス１０のハードウェア構成の各部に対する制御を行うように構成されている。
【００５０】
記憶部１０５は、ＲＡＭ（Ｒａｎｄｏｍ  Ａｃｃｅｓｓ  Ｍｅｍｏｒｙ）１０２と、ＲＯＭ（Ｒｅａｄ  Ｏｎｌｙ  Ｍｅｍｏｒｙ）１０３とによって構成されている。
【００５１】
ＲＯＭ１０３は、ＣＰＵ１０１に対して、サーバデバイス２０との間の接続を確立し、データパケットについての送受信制御処理を行わせるためのプログラムを記憶するように構成されている。
【００５２】
ここで、ＣＰＵ１０１は、データパケットについての送受信制御処理として、以下のような処理を行う。
【００５３】
ＣＰＵ１０１は、操作部１０４からの指示を受けて、通信モジュール１０６を介して、サーバデバイス２０との間で、予約情報の送信や録画対象のコンテンツの受信や視聴済みコンテンツの削除又は保護を行うために、各種情報のやり取りを行う。
【００５４】
また、ＣＰＵ１０１は、モバイルデバイス１０についての認証処理や暗号化処理を行う際に、デバイス情報管理モジュール１０７を参照して、当該モバイルデバイス１０を特定するための情報を取得する。
【００５５】
また、ＣＰＵ１０１は、モバイルデバイス１０からデータを送信する場合、当該データをパケット単位に分割し、分割したデータパケットにそれぞれヘッダを付加し、これらを順次サーバデバイス２０へ送信する。
【００５６】
リムーバブルメディア１０８は、サーバデバイス２０から転送されたコンテンツ（例えば、映像）の格納を行う。
【００５７】
図３に、サーバデバイス２０のハードウェア構成について示す。サーバデバイス２０のハードウェア構成は、モバイルデバイス１０のハードウェア構成と同様であるため、両者の差分のみについて、図３を参照しながら説明する。
【００５８】
ＣＰＵ２０１は、操作部２０４からの指示を受けて、通信モジュール２０５を介して、モバイルデバイス１０との間で、予約情報の受信や録画対象のコンテンツの送信や視聴済みコンテンツの削除又は保護を行うために、各種情報のやり取りを行う。
【００５９】
また、ＣＰＵ２０１は、モバイルデバイス１０についての認証処理や暗号化処理を行うために、モバイルデバイス１０からのユーザ情報の受信を行う。
【００６０】
サーバデバイス２０が、録画対象のコンテンツを送信する場合、当該コンテンツをパケット単位に分割し、分割したデータパケットにそれぞれヘッダを付加し、これらを順次モバイルデバイス１０へ送信する。
【００６１】
更に、サーバデバイス２０は、放送波により送られてくる電子番組表（ＥＰＧ：Ｅｌｅｃｔｒｉｃ  Ｐｒｏｇｒａｍ  Ｇｕｉｄｅ）、及び、情報共有サーバ３０からの取得情報に含まれる番組種別や番組内容や出演者情報に加えて、番組内のある各コーナー情報や、情報共有サーバ３０を利用するユーザ間での視聴率等の情報を取得する。
【００６２】
次に、図４及び図５を参照して、本実施形態に係るモバイルデバイス１０の機能について説明する。図４に示すように、本実施形態に係るモバイルデバイス１０の機能は、ＣＰＵ１０１がプログラム１０１Ａを実行することによって実現される。
【００６３】
図４に示すように、本実施形態に係るモバイルデバイス１０の機能は、予約情報生成部１０Ａと、予約情報送信部１０Ｂと、認証処理部１０Ｃと、コンテンツ受信部１０Ｄと、再生部１０Ｅと、削除要求送信部１０Ｆと、保護情報送信部１０Ｇと、再転送要求送信部１０Ｈとを具備している。
【００６４】
予約情報生成部１０Ａは、サーバデバイス２０に対して、特定のコンテンツ（例えば、ＴＶ番組）を保存するように指示する予約情報を生成するように構成されている。
【００６５】
なお、予約情報は、「番組名」と、「番組概要（キーワード）」と、「チャネル番号」と、「録画日付」と、「録画開始時間」と、「録画時間」と、「録画画質」と、「転送先デバイス」と、「優先度」とを含む。
【００６６】
ここで、「番組名」は、コンテンツ（例えば、ＴＶ番組）を特定するための情報であり、「番組概要（キーワード）」は、当該コンテンツに関連するキーワードを示す情報であり、「チャネル番号」は、当該コンテンツが放送されるチャネルを特定するための情報であり、「録画日付」当該コンテンツを録画（保存）する日付を示す情報であり、「録画開始時間」は、当該コンテンツの録画（保存）を開始する時刻を示す情報であり、「録画時間」は、当該コンテンツを録画（保存）する時間を示す情報であり、「録画画質」は、当該コンテンツの録画画質（保存画質）を示す情報であり、「転送先デバイス」は、当該コンテンツが録画（保存）された後に転送されるデバイス（例えば、モバイルデバイス）を特定するための情報であり、「優先度」は、当該コンテンツが転送される際に用いられる優先度情報である。
【００６７】
例えば、モバイルデバイス２０のユーザは、操作部１０４を用いて、図５に示すような操作画面上で、上述の予約情報を生成するように構成されている。
【００６８】
図５の例では、ユーザが、操作部１０４を用いて、操作画面上における領域Ｘを選択することによって、「番組名」と「番組概要（キーワード）」とからなる「番組情報」が、操作画面上に自動的に表示される。
【００６９】
かかる場合、「チャネル番号」と「録画日付」と「録画開始時間」と「録画時間」と「録画画質」と「転送先デバイス」と「優先度」とからなる「録画情報」として、初期値が、操作画面上に表示されるように構成されていてもよい。
【００７０】
ユーザは、操作画面上に表示された「番組情報」及び「録画情報」で正しければ、操作部１０４を用いて決定処理を行うことによって、当該「番組情報」及び当該「録画情報」を含む予約情報を生成することができる。
【００７１】
予約情報送信部１０Ｂは、通信モジュール１０６を用いて、サーバデバイス２０に対して、予約情報生成部１０Ａによって生成された予約情報を送信するように構成されている。
【００７２】
この際、予約情報については、通信網４０にモバイルデバイス１０が接続された場合に、サーバデバイス２０に対して転送されてもよいし、外出先からインターネット網５０を経由してモバイルデバイス１０からサーバデバイス２０に転送されてもよい。
【００７３】
認証処理部１０Ｃは、サーバデバイス２０からの要求に応じて、デバイス情報管理モジュール１０７によって管理されているモバイルデバイス１０に係るデバイス情報を返送することによって、サーバデバイス２０とモバイルデバイス１０との間の認証処理を行うように構成されている。
【００７４】
コンテンツ受信部１０Ｄは、サーバデバイス２０から送信されたコンテンツを受信して、リムーバブルメディア１０８に記憶するように構成されている。
【００７５】
また、コンテンツ受信部１０Ｄは、サーバデバイス２０から、通信網４０又はリムーバブルメディア１０８等を介して、当該サーバデバイス２０に保存されているコンテンツの一覧（コンテンツリスト）を取得するように構成されていてもよい。このように、ユーザは、かかるコンテンツリスト自体を、モバイルデバイス１０に対してコピーすることによって、外出先でもサーバデバイス２０に保存されているコンテンツの一覧を確認することができる。
【００７６】
また、コンテンツ受信部１０Ｄは、サーバデバイス２０から、コンテンツを受信することなく、かかるコンテンツリストを受信するように構成されていてもよいし、コンテンツを受信した後に、かかるコンテンツリストを受信するように構成されていてもよい。
【００７７】
なお、ユーザは、モバイルデバイス１０を用いて、インターネット網５０を介してサーバデバイス２０に接続し、当該サーバデバイス２０に保存されているコンテンツ（例えば、映像や音楽や写真やビジネス文書等）の一覧（コンテンツリスト）を確認することができることに加え、かかるコンテンツをリムーバブルメディア１０８等に保存することや、かかるコンテンツリストを最新のものに更新することができる。
【００７８】
なお、かかるコンテンツリスト上では、各コンテンツが、優先度情報位に応じて表示されるように構成されている。例えば、かかるコンテンツリスト上では、優先度情報が高いコンテンツから順に表示されるように構成されている。
【００７９】
再生部１０Ｅは、ユーザによって操作部１０４を用いて行われた再生操作に応じて、リムーバブルメディア１０８に記憶されているコンテンツを再生するように構成されている。
【００８０】
なお、再生部１０Ｅは、かかるコンテンツの再生が完了した後、かかるコンテンツを削除するように構成されていてもよい。
【００８１】
削除要求送信部１０Ｆは、再生部１０Ｅによるコンテンツの再生が完了した場合、再生部１０Ｅによるコンテンツの再生が途中で完了した場合、或いは、コンテンツについて未視聴ではあるがユーザによって選択された場合等に、かかるコンテンツをサーバデバイス２０から削除するように要求する削除要求を送信するように構成されている。
【００８２】
保護要求送信部１０Ｇは、再生部１０Ｅによるコンテンツの再生が完了した場合、或いは、再生部１０Ｅによるコンテンツの再生が途中で完了した場合等に、再視聴等のために、かかるコンテンツをサーバデバイス２０から削除しないで保護するように要求する保護要求を送信するように構成されている。
【００８３】
再転送要求送信部は、サーバデバイス２０に対して、特定のコンテンツを再転送するように要求する再転送要求を送信するように構成されている。
【００８４】
なお、再転送要求は、特定のコンテンツを再転送する時刻（日付を含む）を指定するように構成されていてもよい。
【００８５】
また、再転送要求は、上述の予約情報に含まれるように構成されていてもよい。すなわち、上述の予約情報が、サーバデバイス２０に保存されているコンテンツを再転送する時刻を含むように構成されていてもよい。
【００８６】
かかる再転送要求を用いることによって、同種のコンテンツを、保存してから一定期間が経過した後に、サーバデバイス２０から、まとめて取得して視聴することができる。
【００８７】
次に、図６乃至図１２を参照して、本実施形態に係るサーバデバイス２０の機能について説明する。図６に示すように、本実施形態に係るサーバデバイス２０の機能は、ＣＰＵ２０１がプログラム１０１Ｂを実行することによって実現される。
【００８８】
図６に示すように、本実施形態に係るサーバデバイス２０の機能は、予約情報受信部２０Ａと、録画処理部２０Ｂと、優先度情報管理部２０Ｃと、コンテンツ転送部２０Ｅと、削除要求受信部２０Ｆと、コンテンツ削除部２０Ｇと、保護要求受信部２０Ｈと、再転送要求受信部２０Ｉとを具備している。
【００８９】
予約情報受信部２０Ａは、通信モジュール２０６を介して、モバイルデバイス１０から送信された予約情報を受信するように構成されている。
【００９０】
また、予約情報受信部２０Ａは、通信モジュール２０６を介して、赤外線リモコンから送信された予約情報を受信するように構成されていてもよい。
【００９１】
録画処理部２０Ｂは、予約情報受信部２０Ａによって受信された予約情報によって特定されるコンテンツ（例えば、ＴＶ番組）を、ＨＤＤ２０７に録画（保存）するように構成されている。
【００９２】
また、録画処理部２０Ｂは、予約情報受信部２０Ａによって受信された予約情報に基づいて、或いは、かかる予約情報に基づくことなく、インターネット網５０から、所定のコンテンツ（例えば、映像）をダウンロードして、ＨＤＤ２０７に保存するように構成されていてもよい。  なお、録画処理部２０Ｂは、所定情報（例えば、ＣＤ等に記憶されているコンテンツ等）をリッピングすることによって得られたコンテンツを、上述のコンテンツとして、ＨＤＤ２０７に保存するように構成されていてもよい。
【００９３】
また、録画処理部２０Ｂは、図７に示すように、保存されているコンテンツと共に、保存されているコンテンツの一覧（コンテンツリスト）を、ＨＤＤ２０７に記憶するように構成されていてもよい。
【００９４】
この際、保存されているコンテンツの優先度情報のユーザによる変更や、未視聴のコンテンツを削除又は保護するように要求する削除要求又は保護要求を、サーバデバイス２０に対して送信することが可能である。
【００９５】
優先度情報管理部２０Ｃは、様々な条件を考慮して、ＨＤＤ２０７に保存されているコンテンツに対する優先度情報を決定し変更するように構成されている。
【００９６】
具体的には、優先度情報管理部２０Ｃは、ＨＤＤ２０７に保存されている各コンテンツに対応するコンテンツリストに含まれる「優先度」（以下、コンテンツの優先度とする）を管理するように構成されている。
【００９７】
なお、各コンテンツの優先度の初期値は、予約情報に含まれている「優先度」となるように構成されている。また、予約情報に「優先度」が含まれていない場合には、各コンテンツの「優先度」の初期値は、各コンテンツの種別毎に予め設定されている「優先度」となるように構成されている。
【００９８】
各コンテンツ及び対応するコンテンツリストが、ＨＤＤ２０７に保存された後、優先度情報管理部２０Ｃは、所定条件を考慮して、かかるコンテンツの優先度を変更するように構成されている。
【００９９】
優先度情報管理部２０Ｃは、コンテンツが保存された時点から所定時間が経過した場合に、当該コンテンツに対する優先度情報を下げるように構成されていてもよい。
【０１００】
図８の例では、「ニュースＡ」によって特定されるコンテンツが保存された場合、優先度情報管理部２０Ｃは、最初に、かかるコンテンツの優先度を「５」に設定し、１日経過する毎に、かかるコンテンツの優先度を「１」ずつ下げるように構成されている。
【０１０１】
また、「アニメＡ」によって特定されるコンテンツが保存された場合、優先度情報管理部２０Ｃは、最初に、かかるコンテンツの優先度を「２」に設定し、３日経過するまで、かかるコンテンツの優先度を一定に保ち、３日経過後に、かかるコンテンツの優先度を「１」だけ下げるように構成されている。
【０１０２】
一方、所定期間内に視聴を終わらせることが必要と考えられるコンテンツについては、３日経過後に、かかるコンテンツの優先度を「１」だけ上げるように構成されていてもよい。
【０１０３】
また、「ドラマＡ」によって特定されるコンテンツが保存された場合、優先度情報管理部２０Ｃは、最初に、かかるコンテンツの優先度を「３」に設定し、１週間経過するまで（或いは、次回の「ドラマＡ」によって特定されるコンテンツが保存されるまで）、かかるコンテンツの優先度を一定に保ち、その後に、かかるコンテンツの優先度を下げるように構成されている。
【０１０４】
このように、優先度情報管理部２０Ｃは、即時性の高い「ニュースＡ」等によって特定されるコンテンツについては、最初、高い優先度を設定し、その後、短い期間で、かかる優先度を急激に下げていくように構成されている。
【０１０５】
一方、優先度情報管理部２０Ｃは、即時性のそれほど高くない「ドラマＡ」又は「アニメＡ」等によって特定されるコンテンツについては、最初、それほど高くない優先度を設定し、次回の保存が行われるまでは、かかる優先度を一定に保っておく、或いは、かかる緩やかに下げていくように構成されている。
【０１０６】
また、優先度情報管理部２０Ｃは、保存されているコンテンツの種別及び転送時刻に基づいて、かかるコンテンツに対する優先度情報を決定するように構成されていてもよい。
【０１０７】
ここで、転送時刻は、「早朝」や「日中」や「夜間」といった時間帯によって規定されてもよいし、「平日」や「週末」や「祝日」や「特定曜日」や「特定日」といった日付によって規定されてもよい。
【０１０８】
図９の例では、優先度情報管理部２０Ｃは、転送時刻が「平日」である場合には、「ニュースＡ」によって特定されるコンテンツの優先度を「５」に上げるように設定し、転送時刻が「週末」である場合には、「ニュースＡ」によって特定されるコンテンツの優先度を「３」に下げるように設定する。
【０１０９】
また、優先度情報管理部２０Ｃは、転送時刻が「平日」である場合には、「ドラマＡ」又は「アニメＡ」によって特定されるコンテンツの優先度を下げるように設定し、転送時刻が「週末」である場合には、「ドラマＡ」又は「アニメＡ」によって特定されるコンテンツの優先度を下げるように設定する。
【０１１０】
また、優先度情報管理部２０Ｃは、保存されているコンテンツの視聴率に応じて、当該コンテンツに対する優先度情報を決定するように構成されていてもよい。
【０１１１】
図１０の例では、優先度情報管理部２０Ｃは、情報共有サーバ３０から取得した２００７/３/２３付けの各コンテンツの視聴率（視聴ユーザ数や、視聴率や視聴ユーザ数についてのランキング情報等を含む）に基づいて、２００７/３/２３では「スポーツＡ」によって特定されるコンテンツの視聴率が高いと判断し、かかるコンテンツの優先度を「１」から「４」に上げるように設定している。
【０１１２】
また、優先度情報管理部２０Ｃは、再転送すべきコンテンツに対する優先度情報を上げるように構成されていてもよい。
【０１１３】
図１１の例では、優先度情報管理部２０Ｃは、既にモバイルデバイス１０に転送されていた「ドキュメンタリーＡ」及び「ドキュメンタリーＢ」によって特定されるコンテンツを２００７/３/２４に再転送するように要求する再転送要求が受信された場合、２００７/３/２４における当該コンテンツの優先度を上げるように構成されている。
【０１１４】
認証処理部２０Ｄは、予約情報によって特定されるモバイルデバイス、すなわち、予約情報に含まれる「転送先デバイス」に設定されているデバイス（例えば、モバイルデバイス１０）に対する認証処理を行うように構成されている。
【０１１５】
具体的には、認証処理部２０Ｄは、「転送先デバイス」に設定されているモバイルデバイス１０から取得したデバイス情報を用いて、かかる認証処理を行うように構成されている。
【０１１６】
ここで、デバイス情報として、ユーザを特定するためのＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）が用いられるように構成されていてもよい。
【０１１７】
コンテンツ転送部２０Ｅは、ＨＤＤ２０７保存されている複数のコンテンツの中から、上述の優先度情報に基づいて選択されたコンテンツを、「転送先デバイス」に設定されているモバイルデバイス１０に対して転送するように構成されている。
【０１１８】
また、コンテンツ転送部２０Ｅは、予め設定されているキーワードと電子番組表に含まれる各コンテンツに対するキーワードとの比較結果、及び、各コンテンツに対する優先度情報に基づいて、モバイルデバイス１０に対して転送するコンテンツを選択するように構成されている。
【０１１９】
例えば、コンテンツ転送部２０Ｅは、電子番組表を参照して、ユーザ等によって予め設定されているキーワードに一致するキーワードを含むコンテンツの中から、優先度が高い順に所定数のコンテンツを選択して転送するように構成されている。ここで、選択されるコンテンツの数は、モバイルデバイス１０のリムーバブルメディア１０８において使用可能な記憶領域のサイズによって決定される。
【０１２０】
例えば、図１２に示すように、コンテンツ転送部２０Ｅは、モバイルデバイス１０からの削除要求を受信した場合に、次に優先度の高いコンテンツを、当該モバイルデバイス１０に対して転送するように構成されている。
【０１２１】
また、コンテンツ転送部２０Ｅは、再転送要求受信部２０Ｉによってモバイルデバイス１０から受信した再転送要求によって特定されるコンテンツを、当該モバイルデバイス１０に対して再転送するように構成されている。
【０１２２】
また、コンテンツ転送部２０Ｅは、認証処理部２０Ｄによる認証処理が成功した場合のみ、選択されたコンテンツを、モバイルデバイス１０に対して転送するように構成されていてもよい。
【０１２３】
また、コンテンツ転送部２０Ｅは、予め設定されているキーワードが、コンテンツの一部に対応する場合、かかるキーワードに一致するキーワードを含むコンテンツの中から、優先度が高い順に所定数のコンテンツを選択し、選択した当該コンテンツのうち当該キーワードに対応する一部を、モバイルデバイス１０に対して転送するように構成されていてもよい。
【０１２４】
また、コンテンツ転送部２０Ｅは、上述のコンテンツリストに含まれる「転送先デバイス」に設定されているデバイスがサーバデバイス２０に接続されている場合のみ、該当するコンテンツを転送し、かかるデバイスがサーバデバイス２０に接続されていない場合には、ユーザからの明示的な指示がない限り、該当するコンテンツを転送しないように構成されていてもよい。
【０１２５】
ここで、コンテンツ転送部２０Ｅは、デバイス情報管理モジュール１０７と協働して、保存されているコンテンツの転送先を判断するように構成されていてもよい。
【０１２６】
また、コンテンツ転送部２０Ｅは、ＨＤＤ２０７に保存されているコンテンツの一覧（コンテンツリスト）を、モバイルデバイス１０に転送するように構成されている。
【０１２７】
また、コンテンツ転送部２０Ｅは、かかるコンテンツリストの転送先のモバイルデバイス１０に応じて、かかるコンテンツリストを変更するように構成されていてもよい。
【０１２８】
削除要求受信部２０Ｆは、通信モジュール２０６を介して、モバイルデバイス１０から送信された削除要求を受信するように構成されている。
【０１２９】
コンテンツ削除部２０Ｇは、削除要求受信部２０Ｆにより受信された削除要求によって特定されるコンテンツを、ＨＤＤ２０７から削除するように構成されている。
【０１３０】
保護要求受信部２０Ｈは、通信モジュール２０６を介して、モバイルデバイス１０から送信された削除要求を受信するように構成されている。また、保護要求受信部２０Ｈは、かかる保護要求によって特定されるコンテンツを削除することなく保護するようにＨＤＤ２０７に指示する。
【０１３１】
再転送要求受信部２０Ｉは、通信モジュール２０６を介して、モバイルデバイス１０から送信された削除要求を受信し、その旨をコンテンツ転送部２０Ｅに通知するように構成されている。
【０１３２】
（本発明の第１の実施形態に係る通信システムの動作）
図１３及び図１４を参照して、本発明の第１の実施形態に係る通信システムの動作について説明する。
【０１３３】
第１に、図１３を参照して、本実施形態に係る通信システムにおいて、サーバデバイスが特定のコンテンツを保存し、モバイルデバイスが当該特定のコンテンツを再生する動作について説明する。
【０１３４】
図１３に示すように、ステップＳ１０１において、モバイルデバイス１０が、特定のコンテンツの保存を予約するための予約情報を生成する。
【０１３５】
ステップＳ１０２において、モバイルデバイス１０が、かかる予約情報を、サーバデバイス２０に対して送信する。
【０１３６】
ステップＳ１０３において、サーバデバイス２０が、受信した予約情報によって特定されているコンテンツを、当該予約情報に基づいて生成したコンテンツリストと共に、ＨＤＤ２０７に保存する。
【０１３７】
そして、サーバデバイス２０が、所定のタイミングで、ＨＤＤ２０７に保存されておりモバイルデバイス１０に対して転送するように設定されているコンテンツの中から、各コンテンツの優先度情報に基づいて、モバイルデバイス１０に転送すべきコンテンツを選択する。
【０１３８】
ステップＳ１０４において、サーバデバイス２０が、モバイルデバイス１０に対する認証処理を行う。
【０１３９】
かかるモバイルデバイス１０に対する認証処理が成功した場合、ステップＳ１０５において、サーバデバイス２０が、モバイルデバイス１０に対して、選択されたコンテンツを転送する。ここで、サーバデバイス２０が、モバイルデバイス１０に対して、選択された所定数のコンテンツを転送してもよい。
【０１４０】
ステップＳ１０６において、モバイルデバイス１０が、受信したコンテンツを再生し、かかる再生が完了した場合に、かかるコンテンツを削除する。
【０１４１】
ステップＳ１０７において、モバイルデバイス１０が、かかるコンテンツを削除又は保護するように要求する削除要求又は保護要求を、サーバデバイス２０に対して送信する。
【０１４２】
ステップＳ１０８において、サーバデバイス２０が、受信した削除要求又は保護要求によって特定されるコンテンツを削除又は保護する。
【０１４３】
第２に、図１４を参照して、本実施形態に係る通信システムにおいて、サーバデバイスが特定のコンテンツを再転送し、モバイルデバイスが当該特定のコンテンツを再生する動作について説明する。
【０１４４】
図１４に示すように、ステップＳ２０１において、モバイルデバイス１０が、特定のコンテンツの再転送するように要求するための再転送要求を、サーバデバイス２０に対して送信する。
【０１４５】
ステップＳ２０２において、サーバデバイス２０が、当該特定のコンテンツに対応するコンテンツリストを参照して、当該特定のコンテンツの転送先デバイスであるモバイルデバイス２０に対する認証処理を行う。
【０１４６】
かかるモバイルデバイス１０に対する認証処理が成功した場合、ステップＳ２０３において、サーバデバイス２０が、モバイルデバイス１０に対して、当該特定のコンテンツを転送する。
【０１４７】
ステップＳ２０４において、モバイルデバイス１０が、受信した当該特定のコンテンツを再生し、かかる再生が完了した場合に、かかる特定のコンテンツを削除する。
【０１４８】
ステップＳ２０５において、モバイルデバイス１０が、かかる特定のコンテンツを削除又は保護するように要求する削除要求又は保護要求を、サーバデバイス２０に対して送信する。
【０１４９】
ステップＳ２０６において、サーバデバイス２０が、受信した削除要求又は保護要求によって特定されるコンテンツを削除又は保護する。
【０１５０】
（本発明の第１の実施形態に係る通信システムの作用・効果）
本発明の第１の実施形態に係る通信システムによれば、優先度情報管理部２０Ｃが、様々な状況を考慮して、保存されている各コンテンツに対する優先度情報を適切に変更することができるため、サーバデバイス２０からモバイルデバイス１０に対して、適切なコンテンツを転送することができる。
【０１５１】
本発明の第１の実施形態に係る通信システムによれば、ユーザが、モバイルデバイス１０上に、サーバデバイス２０に保存されているコンテンツの一覧を優先情報（優先順位）に応じて表示することができる。
【０１５２】
本発明の第１の実施形態に係る通信システムによれば、ＣＤ等から、好きなジャンルのコンテンツや、よく聞く曲に係るコンテンツをリッピングすることにより得られたコンテンツについても、通常のコンテンツと同様に、優先度情報に基づくモバイルデバイスへの転送を実現することができる。
【０１５３】
本発明の第１の実施形態に係る通信システムにによれば、保存されてから所定時間が経過しているため、緊急性が低いコンテンツのモバイルデバイス１０への転送を後回しにすることができる。
【０１５４】
本発明の第１の実施形態に係る通信システムによれば、平日には「ニュース（コンテンツ）」の優先度を上げ、週末には「ドラマ（コンテンツ）」の優先度を上げるといった柔軟な優先度情報の変更を行うことができ、ユーザのニーズに沿ったコンテンツの転送を実現することができる。
【０１５５】
本発明の第１の実施形態に係る通信システムによれば、視聴率が高いコンテンツの優先度情報を上げるといった優先度情報の変更を行うことができ、ユーザのニーズに沿ったコンテンツの転送を実現することができる。
【０１５６】
本発明の第１の実施形態に係る通信システムによれば、サーバデバイス１０からモバイルデバイス２０に対して再転送するコンテンツの優先度情報を上げることによって、モバイルデバイス１０において再生を中断したコンテンツを優先的に再取得することができる。
【０１５７】
本発明の第１の実施形態に係る通信システムによれば、転送先デバイスとして設定されているモバイルデバイスへのなりすましを防止することができる。
【０１５８】
本発明の第１の実施形態に係る通信システムによれば、特定のジャンルのコンテンツの優先度情報を上げたり下げたりするといったユーザのニーズに沿った柔軟な優先度情報の変更を行うことができる。
【０１５９】
本発明の第１の実施形態に係る通信システムによれば、ユーザが所望コンテンツ内において本当に視聴したい部分の情報のみを転送することができるため、モバイルデバイス１０のリムーバブルメディア１０８の記憶領域を無駄に使用する事態を回避することができる。
【０１６０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０１６１】
【図１】本発明の第１の実施形態に係る通信システムの全体構成図である。
【図２】本発明の第１の実施形態に係るモバイルデバイスのハードウェア構成図である。
【図３】本発明の第１の実施形態に係るサーバデバイスのハードウェア構成図である。
【図４】本発明の第１の実施形態に係るモバイルデバイスのソフトウェア構成図である。
【図５】本発明の第１の実施形態に係るモバイルデバイスにおける予約情報を生成するための画面イメージの一例を示す図である。
【図６】本発明の第１の実施形態に係るサーバデバイスのソフトウェア構成図である。
【図７】本発明の第１の実施形態に係るサーバデバイスにおいて保存されているコンテンツの一覧（コンテンツリスト）を示す図である。
【図８】本発明の第１の実施形態に係るサーバデバイスにおいて優先度を管理する様子を示す図である。
【図９】本発明の第１の実施形態に係るサーバデバイスにおいて優先度を管理する様子を示す図である。
【図１０】本発明の第１の実施形態に係るサーバデバイスにおいて優先度を管理する様子を示す図である。
【図１１】本発明の第１の実施形態に係るサーバデバイスにおいて優先度を管理する様子を示す図である。
【図１２】本発明の第１の実施形態に係るサーバデバイスにおいてコンテンツ転送部の動作を説明するための図である。
【図１３】本発明の第１の実施形態に係る通信システムの動作を示すシーケンス図である。
【図１４】本発明の第１の実施形態に係る通信システムの動作を示すシーケンス図である。
【符号の説明】
【０１６２】
１０…モバイルデバイス
１０Ａ…予約情報生成部
１０Ｂ…予約情報送信部
１０Ｃ、２０Ｄ…認証処理部
１０Ｄ…コンテンツ受信部
１０Ｅ…再生部
１０Ｆ…削除要求送信部
１０Ｇ…保護情報送信部
１０Ｈ…再転送要求送信部
２０…サーバデバイス
２０Ａ…予約情報受信部
２０Ｂ…録画処理部
２０Ｃ…優先度情報管理部
２０Ｅ…コンテンツ転送部
２０Ｆ…削除要求受信部
２０Ｇ…コンテンツ削除部
２０Ｈ…保護要求受信部
２０Ｉ…再転送要求受信部
３０…情報共有デバイス
４０…通信網
５０…インターネット網
１０１、２０１…ＣＰＵ
１０１Ａ、１０１Ｂ…プログラム
１０２、２０２…ＲＡＭ
１０３、２０３…ＲＯＭ
１０４、２０４…操作部
１０５、２０５…記憶部
１０６、２０６…通信モジュール
１０７…デバイス情報管理モジュール
１０８…リムーバブルメディア
２０７…ＨＤＤ
【図１】
2008278245.tif 000003
【図２】
2008278245.tif 000004
【図３】
2008278245.tif 000005
【図４】
2008278245.tif 000006
【図５】
2008278245.tif 000007
【図６】
2008278245.tif 000008
【図７】
2008278245.tif 000009
【図８】
2008278245.tif 000010
【図９】
2008278245.tif 000011
【図１０】
2008278245.tif 000012
【図１１】
2008278245.tif 000013
【図１２】
2008278245.tif 000014
【図１３】
2008278245.tif 000015
【図１４】
2008278245.tif 000016